(57)【要約】【課題】スノーボードの利用者の事故等を安全に保障する保険保障方法の提供。【解決手段】スノーボード利用者の負傷等の事故を保障する保険方法であって、次の各行程からなるスノーボード保険保障方法。(1)  スノーボード取り扱い業者により、スノーボード利用者の年齢、性別、技能検定レベル等の個人情報並びに、体格、体質もしくは運動能力等の個体情報を測定装置により計測してコンピュータ等の情報処理手段に入力する。(2)  前記取り扱い業者は前記個人情報及び個体情報に基づいて、前記情報処理手段において、保険会社により予め設定済みの保険加入料を算出する。(3)  利用者は、前記保険加入料を取り扱い業者に支払って加入契約を締結し、取り扱い業者はこれを情報処理手段に入力する。(4)  取り扱い業者は、前記個人情報及び個体情報に基づいて、スノーボードに利用者に最適な状態にバインディングを装備して利用者に供与する。【選択図】図２
2005135144.tif 000002
【特許請求の範囲】
【請求項１】
スノーボード利用者の負傷等の事故を保障する保険方法であって、次の各行程からなるスノーボード保険保障方法。
(1)  スノーボード取り扱い業者により、スノーボード利用者の年齢、性別、技能検定レベル等の個人情報並びに、体格、体質もしくは運動能力等の個体情報を測定装置により計測してコンピュータ等の情報処理手段に入力する。
(2)  前記取り扱い業者は前記個人情報及び個体情報に基づいて、前記情報処理手段において、保険会社により予め設定済みの保険加入料を算出する。
(3)  利用者は、前記保険加入料を取り扱い業者に支払って加入契約を締結し、取り扱い業者はこれを情報処理手段に入力する。
(4)  取り扱い業者は、前記個人情報及び個体情報に基づいて、スノーボードに利用者に最適な状態にバインディングを装備して利用者に供与する。
【請求項２】
スノーボード利用者がスノーボードの新規購入者である請求項1記載のスノーボード保険保障方法。
【請求項３】
スノーボード利用者が既にスノーボードを保有している請求項1記載のスノーボード保険保障方法。
【請求項４】
スノーボード取り扱い業者からスノーボードの貸与を受けた利用者の負傷等の危険を保険会社により保障する保険方法において、次の各行程からなるスノーボード保険保障方法。
(1)  前記取り扱い業者により、スノーボード利用者は年齢、性別、技能検定レベル等の個人情報並びに、体格、体質もしくは運動能力等の個体情報を測定装置により計測してコンピュータ等の情報処理手段に入力する。
(2)  前記取り扱い業者は前記個人情報及び個体情報に基づいて、前記情報処理手段において、保険会社において設定済みの保険加入料を算出する。
(3)  利用者は、前記保険加入料をレンタル業者に支払って加入契約を締結し、取り扱い業者はこれを情報処理手段に入力する。
(4)  取り扱い業者は、前記個人情報及び個体情報に基づいて、スノーボードに利用者に最適にバインディングを設置して利用者に貸与する。
【請求項５】
請求項４において、次の各行程からなるスノーボード保険保障方法。
(1)  利用者が取り扱い業者にスノーボードを返却する際、取り扱い業者が利用者の負傷等を確認し、その有無を情報処理手段に入力する。
(2)  利用者に負傷等が無い場合には、取り扱い業者が情報処理手段において、予め設定された償還額を算出し、保険加入料を精算する。
(3)  利用者に報知する。       
【請求項６】
請求項５において、次の各行程からなるスノーボード保険保障方法。
(1)  利用者に負傷がある場合には、取り扱い業者は情報処理手段において、予め設定された保障保険額を記録部から呼び出し、査定する。
(2)  利用者に報知する。
【請求項７】
請求項１乃至６において、次の各行程からなるスノーボード保険保障方法。
(1)  利用者の個体情報を股関節の運動機能測定装置もしくは身体のバランス能力測定装置等の個体情報測定装置で測定する。
(2)  前記測定データに基づいて、利用者のセッティングスタイル、スタンス巾、センター角度、セッティングスタンス角度並びに前後足の角度等を情報処理手段で演算する。
(3)  前記の結果に基づいて、スノーボードにバインディングを装備する。
【発明の詳細な説明】
【技術分野】
【０００１】
この発明は、スノーボードの利用者の負傷等の事故を低減させると共に、万一事故に遭遇した際の保障を約束する保険システムを組み合わせたスノーボーダーの保険保障方法に係る技術分野に属するものである。
【背景技術】
【０００２】
従来、事故に遭遇した際の安心のための保障として、自動車の運転者に対するドライバーズ保険や仕事中の事故に係わる労務災害保険、その他各種の保険が提供されている。
万一の事故に備えてスポーツ関連の保険として、個別的に加入するスポーツ保険やスポーツ用品店が加入する顧客に対して保障するシーズン保険、もしくはスキーやスノーボード等のレンタル業者が利用者の安心のために加入している一日単位のレンタル保険、その他が知られている。
この種のスポーツ関連の保険については、保険料を決定するのは、支払う保険料に対して一般的な事故率を算定して、その範囲内で補償額を決定していた。
【０００３】
しかし、負傷の発生は、当然個人の技能に負うところが大きく、上級者なほど、負傷の発生は低下すると推測される。
しかし、保険加入の段階で利用者の技能レベルにより保険料を決定するには、各レベルによる事故発生率のデータと保険加入者の客観的な判定が必要となるが、いずれもその手法は現状では知られていない。
このことにより、個人別に保険料と保障範囲を区別することは困難であった。
【０００４】
近年、ウインタースポーツの一種として人気の高いスノーボードの利用者は若年層を中心に増加し続けている。
【０００５】
一方、その利用者にあって、未熟な使用技術や、スノーボードの選定ミス等を要因とする事故の発生も懸念されている。
【０００６】
一般的にスノーボードスポーツにおいて、その使用技術の向上のためには、インストラクターによる指導が普及しているが、利用者に適合するスノーボードの選定に際しては、利用者自身が価格を意識しつつ、インストラクターや運動用具の販売店の相談員からアドバイスを受け、そのスノーボードを試用し、利用者自身の体感度や好み等から概ね感能的に評価し、選定を決断しており、必ずしも利用者自身の特性、例えば身体的特徴、運動能力度、運動技能度等を考慮して科学的で理論的な観点で選定されてはいないのが実態であった。
【０００７】
殊に、スノーボードの選定と同様に重要なバイディングの設置に当たっても、前記と同様に経験的に実施されており、必ずしも科学的でも理論的でもなかった。
【０００８】
例えば、従来、自己のスノーボードにバイディングを装備させる場合や、販売店やレンタルショップで購入し、又、貸与を受ける場合等でも、通常、次のような手順でスタンスを決定していた。
【０００９】
即ち、
◎  利用者が後方から誰かに背中を押してもらい、自然に最初に前に出た側の足をスノーボードの前足とする。
◎  利用者を滑り易い廊下を歩くようにすり足で歩かせ、その時の自然に先に出される前足をスノーボードの前足とする。
◎  利用者が両足を閉じてジャンプし、足が地面につく瞬間に無意識に足を前後させ、その時、自然に前に出される前足をスノーボードの前足にする。
等の方法があるが、無意識的にこれを実施することは必ずしも容易ではなく、客観的なスノーボードに適した前足の決定は保障し難いものであった。
【００１０】
更に、左右の足のセッティング角度を決定するには、現状では利用者の個体差を無視して使用者の体感を主体として、例えば、左足１５度、右足０度とか、左足２１度、右足９度というように格別の根拠もなく取り付けられている。
【００１１】
このため、未熟練者には使用による疲労感が大きく、更には怪我等の事故の原因ともなっていた。
【００１２】
又、レンタルショップで貸与を受ける使用者の場合には、ほとんどは、初めて滑る人から滑走歴３〜４回以下という人が大半を占めているため、予めスノーボードに取り付け済みのバイディングのスタンス巾等に対して疑念も持たずにこれを使用することとなり、この取り付けが利用者に不適合な場合には技術力の向上が望めないばかりでなく、重大な負傷等の事故のおそれすらあった。
【００１３】
例えば、利用者がスノーボードをレンタル（貸与）する場合には、一般的には次のＸ１〜Ｘ４の手順が行われていた。
【００１４】
Ｘ１…申込書に身長、体重、ブーツのサイズ、技術レベル（初、中、上）の申告をする。
Ｘ２…レンタル業者が経験的に身長から１０ｃｍ〜１５ｃｍ短い長さのスノーボードを選定。
Ｘ３…◎  利用者のヒヤリングでレギュラーもしくはグッフィの形式を決定する。
◎  業者の経験により、バイディング角度の決定。
Ｘ４…貸し出し。
【００１５】
この場合、殆どレンタル業者の経験と利用者の好みによって決定されることが多いが、利用者が急いでいる場合には前回他人がレンタルしたバインディング付きのスノーボードをそのままで借り出すことすら見受けられるため、科学的でも理論的でもないのが実状であった。
【００１６】
このような実状に対応するため、本出願人は先に特開平０７−１９４７５８で開示した発明を提唱している。
【００１７】
即ち、この発明によれば、利用者の股関節の可動範囲に科学的に適合するようにスノーボードにバインディングを設置できるものである。
【００１８】
従って、利用者は、身体特性を測定し、そのデータに基づいてバインディングを取り付けることにより、大巾に事故の発生を未然防止でき、スノーボードスポーツを楽しめるだけなく、その操作技術を急速に向上させることができるものである。
【発明の開示】
【発明が解決しようとする課題】
【００１９】
この発明によって解決しようとする各問題点は次の通りである。
【００２０】
この発明が解決しようとする第１の課題点は、利用者の体格等の身体的特徴や年齢、性別等の個人情報の条件に最適となるよう、バインディングを装備させることによって、利用者の事故の発生を低減すると共に、万一の場合に利用者が自身や第三者に与えた怪我を保障し、更には裁判事件にまで発展することも含めた弁護士保険を加味した保険によって保障する方法を提供することである。
【００２１】
この発明が解決しようとする第２の課題点は、個人情報に基づいて保険加入料を設定し、事故が未然防止できた際には、保険加入料の一部を保険から償還することによって保障する方法を提供することである。
【００２２】
この発明が解決しようとする第３の課題点は、利用者による事故発生の際には、利用者の個人情報に基づいて保険会社で保険額を査定し、利用者に保障する保険方法を提供することである。
【００２３】
この発明が解決しようとする第４の課題点は、利用者のセッティングスタイル、センター角度、スタンス巾、セッティングスタンス角度もしくは前後足の角度を決定してスノーボード上にバインディングを最適状態に装備させて利用者による事故を低減させ、万一の際にも保障する保険方法を提供することである。
【課題を解決するための手段】
【００２４】
前記の課題を解決する手段として次の発明が挙げられる。
【００２５】
［１］  スノーボード利用者の負傷等の事故を保障する保険方法であって、次の各行程からなるスノーボード保険保障方法。
(1)  スノーボード取り扱い業者により、スノーボード利用者の年齢、性別、技能検定レベル等の個人情報並びに、体格、体質もしくは運動能力等の個体情報を測定装置により計測してコンピュータ等の情報処理手段に入力する。
(2)  前記取り扱い業者は前記個人情報及び個体情報に基づいて、前記情報処理手段において、保険会社により予め設定済みの保険加入料を算出する。
(3)  利用者は、前記保険加入料を取り扱い業者に支払って加入契約を締結し、取り扱い業者はこれを情報処理手段に入力する。
(4)  取り扱い業者は、前記個人情報及び個体情報に基づいて、スノーボードに利用者に最適な状態にバインディングを装備して利用者に供与する。
［２］  スノーボード利用者がスノーボードの新規購入者である前記［1］記載のスノーボード保険保障方法。
［３］  スノーボード利用者が既にスノーボードを保有している前記［１］記載のスノーボード保険保障方法。
［４］  スノーボード取り扱い業者からスノーボードの貸与を受けた利用者の負傷等の危険を保険会社により保障する保険方法において、次の各行程からなるスノーボード保険保障方法。
(1)  前記取り扱い業者により、スノーボード利用者は年齢、性別、技能検定レベル等の個人情報並びに、体格、体質もしくは運動能力等の個体情報を測定装置により計測してコンピュータ等の情報処理手段に入力する。
(2)  前記取り扱い業者は前記個人情報及び個体情報に基づいて、前記情報処理手段において、保険会社において設定済みの保険加入料を算出する。
(3)  利用者は、前記保険加入料をレンタル業者に支払って加入契約を締結し、取り扱い業者はこれを情報処理手段に入力する。
(4)  取り扱い業者は、前記個人情報及び個体情報に基づいて、スノーボードに利用者に最適にバインディングを設置して利用者に貸与する。
［５］  前記［４］において、次の各行程からなるスノーボード保険保障方法。
(1)  利用者が取り扱い業者にスノーボードを返却する際、取り扱い業者が利用者の負傷等を確認し、その有無を情報処理手段に入力する。
(2)  利用者に負傷等が無い場合には、取り扱い業者が情報処理手段において、予め設定された償還額を算出し、保険加入料を精算する。
(3)  利用者に報知する。 
［６］  前記［５］において、次の各行程からなるスノーボード保険保障方法。
(1)  利用者に負傷がある場合には、取り扱い業者は情報処理手段において、予め設定された保障保険額を記録部から呼び出し、査定する。
(2)  利用者に報知する。
［７］  前記［１］乃至［６］において、次の各行程からなるスノーボード保険保障方法。
(1)  利用者の個体情報を股関節の運動機能測定装置もしくは身体のバランス能力測定装置等の個体情報測定装置で測定する。
(2)  前記測定データに基づいて、利用者のセッティングスタイル、スタンス巾、センター角度、セッティングスタンス角度並びに前後足の角度等を情報処理手段で演算する。
(3)  前記の結果に基づいて、スノーボードにバインディングを装備する。
【００２６】
以上の如き解決手段によれば、前記の課題を解決できるばかりでなく、有効に発明の効果をも達成できるものである。
【発明の効果】
【００２７】
以上説明したこの発明による特有の効果は次の如くである。
【００２８】
(1)  スノーボード上に利用者の個人情報に基づき、身体的特性に適合したバイディングの設置ができるので、事故の発生が未然防止できるばかりでなく、万一の際も保険で保障されているものである。
【００２９】
(2)  前記の事故の発生率の低下により、保険業者も支払額が低減できることとなる。
【００３０】
(3)  利用者の個体情報を測定装置で予め測定し、その結果を基にしてバインディングが装備されたスノーボードを利用するものであるから、体格、体力的にも無理がなく安全に楽しむことができ、しかも技能向上にも有効である。
【発明を実施するための最良の形態】
【００３１】
次にこの発明の具体的な発明の実施の形態を図面を参照して説明する。
【００３２】
(1)  概要
この形態は、スノーボード（以下ボード）取り扱い業者（以下ショップ）において、購入又は貸与（レンタル）を希望する利用者の申込みを受けて、利用者の固有情報（年齢、性別、技能レベル等）並びに個体情報（身長、体重等）に基づいてボードに利用者にとって最適の状態にバイディングを装備して供与し、利用者による保険の加入契約を保険会社に報知し、万一の事故の際には保険会社が保険金を利用者に支払うという保険保障（スノーボード保険）の仕組みを背景としている。
【００３３】
その役割分担について図示すれば、図1に見られる如くである。
【００３４】
即ち、このスノーボード保険にあっては、
利用者は取り扱い業者にボードの購入、又はレンタルを申し出ると共に、保険加入を申し込む（A）
取り扱い業者は、利用者の特性を測定等によって特定し、ボード等の料金と共に保険加入料を利用者に請求する（B）
利用者は、前記金額を取り扱い業者に支払いボード等と共に保険申込み内容を記載した利用券を受領する（C)
取り扱い業者は保険加入申込み内容を提携先の保険会社に通報する（D）
保険会社は、利用者に保険契約書を送付して保険契約が成立する（E）
利用者は、万一事故に遭遇した際には、その旨、保険会社に申告する（F）
保険会社は、所定の保険金を利用者に支払う（G）
というものである。
【００３５】
尚、ボードをレンタルする場合も基本的には前記の手順に順ずるが、レンタルした取り扱い業者が委託を受けて利用者の行う手続を代行することもありうるものである。
【００３６】
(2)  取り扱い処理装置１０００
図２の機能ブロック図で示すように、このシステムのための本装置１０００は、演算、比較等の機能を具備する一般的なコンピュータ（C.P.U）１１００に接続された制御部１２００を中心として各機能を発揮する下記の各部が接続されている。
A．操作部１２１０・・・装置１０００のオン−オフを始めとする指令機能を備えている。
B．個人情報入力部１２２０・・・利用者の個人情報をキーボード等によって入力可能している。
C．個体情報入力部１２３０・・・後述する個体情報測定装置２０００からの情報をキーボード等によって入力可能としている。
D．利用券取り扱い部１２４０・・・利用者情報を記載した利用券の発行を行う。
E．表示部１２５０・・・利用者情報をCRTモニター等で視覚的に表示する。
F．プリント部１２６０・・・情報や精算処理情報等をプリントする。
G．読み取り部１２７０・・・精算・表示のために利用券を読み取る。
H．記録部１２８０・・・情報の記録の他に、予め設定された保険の保証内容等を階層別にデータ化して記録している。
尚、その使用方法、機能等については、利用手順の項において後述する。
【００３７】
(3)  個体情報測定装置（本測定装置）２０００
図２のこの装置２０００は、図４、５に示す、スタンサー１００と図６、７に示す、バランサー２００が含まれている。
【００３８】
(3)-1．股関節の運動機能測定装置１００（スタンサー）
図４及び図５に示す、このスタンサー１００は、基台１１０上に利用者が横向きで左右両足を搭乗させることができる一組の回転ディスク１２０、１３０の支持軸１２１、１３１を図５の矢印Ａ、Ｂ方向に自由に回転可能に取り付けている。
【００３９】
又、この支持軸１２１、１３１の旋回角度を検出しうる角度センサ１４０、１５０が基台１１０に配備されている。
【００４０】
更に、前記角度センサ１４０、１５０は、その角度情報をコンピュータ等の情報処理手段（Ｃ．Ｐ．Ｕ）１６０に伝送しうるように連係されている。
【００４１】
又、前記Ｃ．Ｐ．Ｕ１６０には股関節の可動範囲の計算を実行するばかりでなく、その可動中心位置を決定する機能を有する特定手順のデータ処理手段を内蔵しており、その情報をプリンタ１７０によりプリントアウトできるように構成されている。
【００４２】
尚、図４において１８０は、身長等、利用者の個体の特徴を入力する身体データ入力部１９０は操作指令部である。
【００４３】
このスタンサー１００の機能については後述する。
【００４４】
(3)-2．身体のバランス能力測定装置２００（バランサー）
図６及び図７に示す、バランサー２００は、利用者の身体のバランス能力を測定する装置であって、支持枠２１０上にスノーボードに類似した外形状のバランスボード２２０をボールジョイント２３０を介装して配置したものである。
【００４５】
即ち、支持枠２１０の中央部上にボールジョイント２３０のソケット２３１を固設し、このソケット２３１内に自在に旋回可能にボール部２３２を装着すると共に、このボール部２３２に延設されたステム２３３を前記バランスボード２２０の下面に固着している。
【００４６】
又、前記ボールジョイント２３０の両側方の支持枠２１０には一組の安定具２４０、２５０を配設している。
【００４７】
この安定具２４０、２５０にはプランジャー２４１、２５１がモータ２６０により矢印Ｃ、Ｄ方向に昇降可能に装着されていて、必要に応じてバランスボード２２０の下面を支持して、その動揺の安定化を図ることができるものであるが、その詳細については後述する。
【００４８】
次に、バランスボード２２０の上面には、利用者がその両足を搭乗させることができる一組の測定ディスク２７０、２８０を軸体２７１、２８１を中心に回動可能に設けると共に、その両側縁近傍の下面には一組のタッチセンサ２９１、２９２が設けられ、バランスボード２２０の傾倒運動によって支持枠２１０に接触可能とされており、その接触情報は、コンピュータ等の情報処理手段（Ｃ．Ｐ．Ｕ）３００に報知されるように構成されている。
【００４９】
更に、このＣ．Ｐ．Ｕ３００には、タッチセンサ２９１、２９２の情報が発生した際の前記測定ディスク２７０、２８０の旋回角度により、バイディングの最適スタンス角度として内蔵されたデータ処理手段により算出しうる機能を備えており、プリンタ３１０によりプリントアウトできるように構成されている。
【００５０】
尚、図６中、３２０は利用者の身長等の個体の特徴を入力する身体データ入力部、３３０は操作指令部であり、４００は支持枠２１０に取り付けた利用者の転倒を防止するための安全杆である。
【００５１】
このバランサー２００の機能についても後述する。
【００５２】
(4)  スノーボード保険付購入方法
次に、前記した本装置１０００を稼動させて、その保険付購入方法を図８に示すフローチャートに基づいて説明する。
【００５３】
(4)-1．購入手順
S１．ショップを訪れた利用者は、その個人情報（年齢、性別、技能認定レベル等）を記入用紙に記入してオペレータに申告する。
この際、併せて傷害等のスノーボード保険に加入する旨、申告する。
S２．ショップでは、本装置１０００の操作部１２１０を操作して制御部１２００及びC.P.U１１００を始動させ、個人情報入力部１２２０から利用者の個人情報IPをオペレータによる操作で入力する。
制御部１２００では、記録部１２８０にデータ入力する。
S３．次に、個体情報（バイディング取り付け情報）を本測定装置２０００で予め測定するかどうかを区別する。
S４．利用者が測定を希望すれば、測定手順へ移行し、測定装置２０００で利用者の個体情報を測定し、S5へ進む。
S５．測定後、特別保険料が表示部１２５０で視認されるので利用者は特別保険料を支払って保険に加入する。
後日、ショップでは利用者の特別保険加入の申し込みを保険会社に連絡する。
S6．ショップでは、ボード上に特別仕様でバインディングをセッティングする。
S7．利用者はバインディングの装備されたボードの料金と共に特別保険料をショップに支払い、ボードと利用者の情報と特別保険加入情報がプリント部１２６０で印刷された利用券を受給して取り引きを終了する。
万一利用者が事故に遭遇した場合、利用者は利用券を添えて保険会社に保険金の支払いを請求し、保険会社では本測定装置２０００によって測定した利用者には予め設定した有利な保険金を特別保険金としての支払いを受領して終了することとなる。
他方、利用者が測定を希望しなければ、一般保険料を支払い（S８）、通常仕様のセッティングを行って（S９）、S７へ進むこととなる。
又、事故の際の保険金も通常設定された金額を受け取ることとなる。
尚、ボード購入の場合にも無事故の際の保険加入料の一部償還も想定されるが、レンタルの場合と事情も異なるので、この際の一部償還手法は除いてみた。
【００５４】
(5)  スノーボード保有者の保険保障方法。
前記(4)項の如くに新規にスノーボードを購入する利用者以外に、例えば、既にスノーボードを保有している利用者がスノーボード保険保障を希望する場合も少なくないことが検証されている。
【００５５】
この場合の保険保障方法については、前記(4)項の方法に共通する部分が少なくないので図８を参照してその内容を説明する。
【００５６】
このケースでは利用者は、取り扱い業者により、前記(4)の方法のＳ１〜Ｓ５の手順を実行して個体情報を測定した後、保険に加入することとなる。
【００５７】
その結果、利用者は新規のスノーボード購入者と同様のディスカウントされた保険加入料を支払うこととなり、万一事故の際には、新規購入者と同様に手厚い保険金の支払いが期待できるものである。
【００５８】
従って、この保険保障方法により、新規購入者以外の既にスノーボードを保有している利用者がスノーボード保険することとなり、保険加入者の大巾な増加が見込めるものである。
【００５９】
尚、このケースでも前記(4)のＳ６の行程により適切なバイディングの装備変更を要求できることは言うまでもない。
【００６０】
(6)  スノーボード保険付レンタル方法
次に、前記した本装置１０００を稼動させて、その保険付レンタル方法をボードの貸与を受ける場合と、返却の場合の各手順毎に図９、１０に示すフローチャートに基づいて説明する。
【００６１】
(6)-1．貸与手順
図9に示すように、ショップを訪れた利用者は、ショップでボードの貸与を受けるが、この場合のフローは図８と共通するところが少なくない。
即ち、利用者はショップにボードのレンタル料を支払い（SS３）、ボードの貸与を受ける（SS７）の点以外は共通している。
【００６２】
(6)-2．返却手順
利用者がボードをショップに返却する際の手順について、図１０に基づいて説明する。
T１．利用者はボードをショップに返却すると同時に、既に受領した利用券をショップに提出する。
T２．操作部１２１０により始動させ、読み取り部１２７０において発給済みの利用券を受領してデータを読み取る。
T３．利用者に負傷等の事故の有無についてヒヤリングして判別する。
T４．事故等がある場合には、その旨、利用券に記載して発給する。
T５．利用者は利用券を添えて保険会社に申告して保険金を請求するが、この場合ショップが代行してもよい。
T６．保険会社は利用者に保険金を支払うこととなるが、測定を受けたか否かに基づく特別保険金や通常保険金については前記した購入手順と同様である。
又、現実には後日支払いとなる。
T7．事故が無ければ一種のボーナスとして保険加入料の一部償還等の精算計算を本装置１０００の制御部１２００で行って、表示部１２５０で確認し、プリント部１２６０で利用券に記入して発給を受けて（T８）、T５に進むこととなる。
以上の手順により、利用者は保険によって安全に保障されてスノーボードスポーツを楽しむことができるものである。
【００６３】
(7)  本測定装置の機能
次に、本測定装置２０００におけるスタンサー１００とバランサー２００の機能について説明する。
【００６４】
(7)-1．スタンサー１００による股関節の旋回能力に応じたバインディングのセッティング条件を次の手順により決定
手順１．利用者は、スタンサー１００の回転ディスク１２０、１３０上に横向き（スタンサー１００の短手方向）に両足で起立する（旋回角度＝０）。
手順２．操作指令部１９０でＣ．Ｐ．Ｕ１６０に支持した後、左右の足を図２における矢印Ａ、Ｂ方向に自力で無理をしない程度に旋回させ、角度センサー１４０、１５０により股関節の最大回転角度を計測する。
手順３．手順２によって計測された角度データをＣ．Ｐ．Ｕ１６０に伝送すると、内蔵されたデータ処理手段により股関節の可動角度と、その中心位置が決定される。
図５の図示例の場合では、左足の可動角度は２０度プラス１０度で合計３０度であり、右足については１０度プラス１０度で合計２０度あるため、左足を前足とするのが望ましい。
又、可動中心位置は、左足が反時計方向に１０度、右足については０度（短手方向正面）であることが判明する。
手順４．これによって、可動角度の大きい側の足をボードの横乗り（サイドウェスタンス）の際の前足とする（詳細は後述する）。
即ち、右足が左足よりセンター位置が外の場合には、スタンスは「レギュラー」形式が望ましく、右足がセンター角度の外となる場合には、スタンスとしては「グーフィー」形式が望ましい。
これにより、利用者に最適のスタンスが決定される。
手順５．次いで、利用者の身長や体重等の個体情報を身体データ入力部１８０からＣ．Ｐ．Ｕ１６０に入力することにより、左右の足の間隔（スタンス巾）が決定され、プリンタ１７０によりプリントアウトされる。
【００６５】
以上の手順によって、ボードの短手方向に関するバイディングの適切なセッティング角度が得られ、又、スタンス巾も決定されるので、これによって利用者の個体特性に適合したバイディングのセッティングができ、購入又はレンタルできるものである。
【００６６】
(7)-2．バランサー２００によるバランス能力から見たセッティング条件は次の手順で決定
利用者のバランス能力も安全なスノーボーディングに不可欠の要素であり、利用者のバランス能力を測定するには、次の手順によるものである。
手順１１．予めバランサー２００のプランジャー２４１、２５１をモータ２６０により矢印Ｃ方向に上昇させてバランスボード２２０を水平状に静止させた状態で、利用者は安全杆４００を把持して両足を測定ディスク２７０、２８０上に横向き（ボードの短手方向）に搭乗する。
手順１２．次に、プランジャー２４１、２５１を矢印Ｄ方向に下降させてバランスボード２２０を解放する。
これによって、バランスボード２２０は、ボールジョイント２３０を支点として動揺する不安定な状態となる。
手順１３．利用者は安全杆４００から手を離し、測定ディスク２７０、２８０は３６０度に自由に回転するため、利用者は両足で測定ディスク２７０、２８０を旋回させながらバランスを維持することとなる。
この状態が続くとバランスを失いバランスボード２２０が傾動し、遂にはタッチセンサ２９１もしくは２９２が支持枠２１０に当接する。
即ち、利用者にとって最も好ましい角度状態に測定ディスク２７０、２８０が指向していると、バランスボード２２０が傾動する動作が遅くなるのであり、この場合の測定ディスク２７０、２８０の指向する角度が利用者にとって最適のバインディングの取り付け角度と言える。
従って、この際の接触情報がＣ．Ｐ．Ｕ３００に伝送され、同時に測定ディスク２７０、２８０の旋回角度データもＣ．Ｐ．Ｕ３００に伝送されるので、Ｃ．Ｐ．Ｕ３００のデータ処理手段において最も長時間（遅く）接触した際の角度をもってスタンス角度を設定する。
手順１４．次いで、利用者の身長や体重等の個体情報を身体データ入力部３２０からＣ．Ｐ．Ｕ３００に入力させ、内蔵されたデータ処理手段により総合的に最適のスタンスの種類やスタンス巾並びに、セッティング角度が算出されてプリンタ３１０からプリントアウトされる。
手順１５．測定作業終了後は、モータ２６０を始動してプランジャー２４１、２５１を矢印Ｃ方向に上昇させてバランスボード２２０を水平状に固定させて、利用者の転倒を安全に防止できるものである。
【００６７】
これにより、利用者は自己のバランス能力に適合するスタンスでボードにバインディングを設置してもらって購入、又はレンタルできるものである。
【００６８】
(8)  バインディングの設置
次に、前記の測定結果に基づいて、利用者に最適なバインディングの設置手順を更に具体的に説明する。
【００６９】
(8)−１．スタンサーによる場合（図４、５参照）
(8)-1-1．セッティングスタイル（ボードに搭乗する乗り方）ＳＴを手順Ｋ１〜Ｋ３により決定
まず、図１１に示すように予め利用者に身長、体重、年齢、性別及び好みのライディングスタイル（ボードの乗り方）等の個人情報について自己申告させ、必要に応じてはオペレータにより計測してそのデータをＣ．Ｐ．Ｕ１６０に入力する（Ａ１）。
【００７０】
統計データに基づけば、セッティングスタイルＳＴは利用者の左右足の外転角の比較によることが判明したので、次の手順でこれを決定した。
Ｋ１．スタンサー１００により利用者の左右の足の内転（内向き）角、及び外転（外向き）角を測定してＣ．Ｐ．Ｕ１６０に入力する。
Ｋ２．Ｃ．Ｐ．Ｕ１６０に記憶済みの角度比較式に基づいてセッティングスタイルを選定する。
例えば、次の通りである。
レギューラースタイル＝左足外転角＞右足外転角
グーフィースタイル＝左足外転角＜右足外転角
マルチスタイル＝左足外転角＝右足外転角
この場合、内外転角とは利用者が足を内向きもしくは外向きに旋回させた際の角度である。
この場合、体重の比較手順R2に不具合があれば、以前のステップに戻って再度実行（以下再トライ）することは言うまでもない。
Ｋ３．セッティングスタイルの決定。
【００７１】
(8)-1-2．スタンス巾（左右の足の間隔）ＳＳを手順Ｌ１〜Ｌ７で決定（図１２）
好適なスタンス巾ＳＳについては、利用者の体重ＰＷと身長ＰＨとが関係することが実測もしくは申告されているので、この経験に基づいて次の手順でこれを決定した。
Ｌ１．前記Ａ１の手順に続いて、利用者の体重Ｗと標準体重ＳＷとをＣ．Ｐ．Ｕ１６０で比較式で比較し、標準体重ＳＷ以下の場合は体重補正値αを零とし、それ以上の場合には実験式に基づいて体重補正値αをＣ．Ｐ．Ｕ１６０において算出する。
例えば、
α＝Ｗ−ＳＷ／Ａ１（Ａ１は２以上で８以下）
の式によって体重補正値αを算出する。
Ｌ２．この場合、標準体重ＳＷを６０ｋｇとして好ましい結果が得られた。
Ｌ３．次に身長ＰＨについてみれば、基準身長ＳＨと利用者の身長ＰＨとの関係は実験的に次のことが明らかである。
ＰＨ≦ＳＨ…ＳＳ＝Ｂ１＋α（Ｂ１は２５ｃｍ以上）
１５０≦ＰＨ…ＳＳ＝ＰＨ−Ｂ２＋α（Ｂ２は１１５ｃｍ以上で１２５ｃｍ以下）
この場合、身長補正値βは次の数式による。
β＝−１２０＋Ｂ３
但し、Ｂ３はＰＨが１０ｃｍ増える毎に１．０１Ｂ１、１．０２Ｂ２のように等差状に増大。
これにより、身長補正値βが仮決定される（Ｌ４）。
従って、例えば次の如くとなる。
１５０≦ＰＨ≦１５２…ＳＳ＝ＰＨ−１２０＋α
１５３≦ＰＨ≦１５５…ＳＳ＝ＰＨ−１２２＋α
１８７≦ＰＨ…ＳＳ＝ＰＨ−１４６＋α
Ｌ５．次に、Ｃ．Ｐ．Ｕ１６０において入力済みの利用者の年齢ｙに応じてスタンス巾Ｗの年齢補正値γを算出する。
例えば、
ｙ≦２９        …  γ＝Ｃ１
３０≦ｙ≦３９  …  γ＝Ｃ１＋１ｃｍ
４０≦ｙ≦４９  …  γ＝Ｃ１＋２ｃｍ
５０≦ｙ        …  γ＝Ｃ１＋３ｃｍ
とする。
この場合、Ｃ１は０以上５以下である。
Ｌ６．Ｃ．Ｐ．Ｕ１６０のデータ処理手段において、この年齢補正値γをＬ１で算出済みの体重補正値α並びに身長補正値βを加味して、最終的にスタンス巾ＳＳを決定する（Ｌ７）。
尚、前記手順L１、L3及びL６での検討で不具合があれば再トライする。
【００７２】
(8)-1-3．センター角度（身体の正面と左右の足の中心との間の角度）ＣＡを手順Ｍ１、Ｍ２で決定（図１３）
利用者の左右の足の長手方向に指向するセンター角度ＣＡは利用者の性別によって一定の法則が経験的に実証されているので、次の手順によってこれを決定した。
Ｍ１．前記Ａ１の手順において入力済みの利用者の性別（ＭＭ、ＷＭ）データを採用し、男性、女性のセンター角度ＣＡを実験式に基づいてＣ．Ｐ．Ｕ１６０により算出する。
例えば、男性の場合には、次の式となる。
左足センター角度＝左足外転角−（左足外転角＋左足内転角）×Ｄ１
右足センター角度＝右足外転角−（右足外転角＋右足内転角）×Ｄ１
但し、Ｄ１は０．５以上で、０．６以下であり、女性の場合は０．５５以上で、０．６５以下である。
Ｍ２．これによりセンター角度ＣＡを決定する。
尚、前記手順M１における補正に不具合があれば再トライする。
【００７３】
(8)-1-4．セッティングスタンス角度ＳＡ（左右の足の相関角度）を手順Ｎ１、Ｎ２で決定（図１４）
セッティングスタンス角度ＳＡについては、センター角度が決定されると共に、セッティングスタイルが決まった後に利用者の両足のスタンス角度を相関的に決めるものであって、前記セッティングスタイルに関連することが実証されているので、次のようにしてこれを決定した。
Ｎ１．ライディングスタイルがレギュラー又はマルチの場合と、グーフィーの場合について、Ｃ．Ｐ．Ｕ１６０においてセンター角度ＣＡに基づいて、セッティングスタンス角度ＳＡを算出する。
例えば、レギュラー又はマルチスタイルの場合には、
前足＝左足のセンター角度
後足＝（マイナス）−右足のセンター角度
又、グーフィースタイルの場合は、
前足＝右足のセンター角度
後足＝（マイナス）−左足のセンター角度
Ｎ２．以上に準じて前記のセッティングスタンス角度ＳＡを決定する。
【００７４】
(8)-1-5．前後足の角度ＡＧを手順Ｐ１、Ｐ２で決定（図１５）
Ｐ１．ライディングスタイルがフリースタイルの場合か否かで次のように決定される。
例えば、ライディングスタイルがフリースタイルの場合には、
前足角度＜１０度…後足角度＝後足センター位置
前足角度≧１０度…後足角度＝後足センター位置＋Ｅ１
フリースタイル以外であれば、
後足角度＜４０度…前足角度＝前足センター位置＋Ｅ２
後足角度≧４０度…前足角度＝前足センター位置＋Ｅ３
の如くにＣ．Ｐ．Ｕ１６０で算出する。
この場合、Ｅ１は５度以上で１０度以上、Ｅ２は３０度以上で４５度以下、Ｅ３は４５度以上で５５度以下が望ましい。
Ｐ２．これに準じて前記の両足の角度ＡＧを決定する。
【００７５】
以上の手順により、算出されたセッティングスタイルＳＴ、スタンス巾ＳＳ、センター角度ＣＡ、セッティングスタンス角度ＳＡ等は、プリンタ１７０によりプリントアウトできるものである。
【００７６】
尚、前記した各手順については、操作指令部１９０によって、シーケンシャルに順次決定し、その結果を一括してプリントアウトすることにより、利用者に最適のバインディングの取り付け条件が一挙にプリントアウトされ、効率的に購入又はレンタルできるものであるが、操作指令部１９０により、スタンス巾、スタンス角度等を個別的に出力して利用者の望む最適な条件を適宜決定できることは設計上、言うまでもないことである。
【００７７】
(8)-2．バランサー２００による決定（図６、７参照）
次に、スタンサー１００に代わるバランサー２００による利用者の最適なスタンスの設定について説明するが、スタンス巾の決定はスタンサー１００で実施するので共通しており、省略する。
【００７８】
従って、次の手順で行われることとなる。
【００７９】
(8)-2-1．セッティングスタイル及びセッティング角度を手順Ｒ１１〜Ｒ１４で決定（図１６）
Ｒ１１．利用者がバランスボード２２０に設けた計測ディスク２７０、２８０上で前後左右方向にバランスボード２２０を数回傾動させる。
Ｒ１２．バランスボード２２０の安定化してセッティングスタイルが決定される。
Ｒ１３．セッティング角度を少しずつ変えて補正する。
Ｒ１４．Ｒ１３において、タッチセンサ２９１、２９２がＯＮになっているため、角度補正したセッティング角度の内で最も長時間タッチセンサ２９１、２９２がＯＦＦの続く場合がバランスボード２２０のバランスが取れていることになり、その角度をＣ．Ｐ．Ｕ３００のデータ処理手段で算出してセッティング角度を最終決定する。
【００８０】
以上のように、科学的、理論的にセッティングされたスノーボードスポーツにあっては、利用者による怪我の発生は殆ど報告されておらず、更には、利用者のスノーボーディング能力レベルは飛躍的に向上されることが各種検定結果において実証されている。
【００８１】
以上の通り、利用者は、スノーボードスポーツを安全に楽しむために、その技能に応じた利用法を順守することは、第1の条件であるが、不幸にして負傷等の事故の場合にも、その保障が約束されていれば、一層安心であることは言うまでもないことである。
【００８２】
加えて、保険加入料を支払った後に負傷等の事故が無かった場合の一種のボーナスとしてこの料金が精算され、償還されるのも楽しみとなる。
【００８３】
ショップにあっては、利用者の自己申告の他に、その個人、個体情報の確認により利用者が安全と安心を得られるのはビジネス上有利である。
【００８４】
更に、関係する保険会社にあっても事故率の激減は好ましいことであり、その保険金の支払いが少なくてすむというメリットをエンジョイできることとなる。
【産業上の利用可能性】
【００８５】
以上の如く、スノーボード利用者の個人購入又は情報に基づいて最適にバインディングを設置したスノーボードを利用者がショップで貸与を受ける際にスノーボード保険に加入することによって安全にその保障を受けることができるので、レンタルを希望する利用者の大巾な増加が見込まれるため、スノーボード業界にとって有用である。
【００８６】
又、他方において保険業者にあっても事故率の低下が期待できることから保険加入者の増加が予測でき、更には、事故による保険金の支払額も、予め個体情報測定装置を利用して測定した情報に基づいて保険金額を査定することにより、利用者にとっても、予め設定されたリーズナブルな保険金を支払うこととなり、利用者への信頼性を高めることができるため、保険加入者増も見込みうることとなる。
【００８７】
又、適切なバインディング付きスノーボードを利用するため、事故数自体が低減できるため、保険業界にとっても実用性が高く、期待値が高いものであり、産業として利用可能性が大であることは言うまでもないことである。
【図面の簡単な説明】
【００８８】
【図１】本発明の保険保障方法の概念図。
【図２】取り扱い処理装置の機能ブロック図。
【図３】個体情報測定装置の概念図。
【図４】スタンサーの機能ブロック図。
【図５】図1のスタンサーの平面図。
【図６】バランサーの機能ブロック図。
【図７】バランサーの平面図。
【図８】スノーボードの購入手順を説明するフローチャート。
【図９】スノーボードの貸与手順を説明するフローチャート。
【図１０】スノーボードの返却手順を説明するフローチャート。
【図１１】セッティングスタイル決定のフローチャート。
【図１２】スタンス巾決定のフローチャート。
【図１３】センター角度決定のフローチャート。
【図１４】セッティングスタンス角度決定のフローチャート。
【図１５】前後足の角度決定のフローチャート。
【図１６】バランサーによる決定のフローチャート。
【符号の説明】
【００８９】
１０００    取り扱い処理装置
１１００    情報処理手段（C．P. U）
２０００    個体情報測定装置
１００    運動機能測定装置（スタンサー）
２００    バランス能力測定装置（バランサー）
【図１】
2005135144.tif 000003
【図２】
2005135144.tif 000004
【図３】
2005135144.tif 000005
【図４】
2005135144.tif 000006
【図５】
2005135144.tif 000007
【図６】
2005135144.tif 000008
【図７】
2005135144.tif 000009
【図８】
2005135144.tif 000010
【図９】
2005135144.tif 000011
【図１０】
2005135144.tif 000012
【図１１】
2005135144.tif 000013
【図１２】
2005135144.tif 000014
【図１３】
2005135144.tif 000015
【図１４】
2005135144.tif 000016
【図１５】
2005135144.tif 000017
【図１６】
2005135144.tif 000018